(57)【要約】【課題】容易にコンタクトの接触力を大にすることができるコネクタを提供する。【解決手段】レバー２１のレバー軸２２ａがオスハウジング２６のレバー軸受２２ｂに回動可能に取り付けられるため、レバー２１の接触部２５によってメスターミナル３０を押さえて、メスターミナル３０とオスターミナル２０とを接触する際、梃子の原理でレバー２１の力点部２３を動かすことにより、小さな力で力点部２３を押さえれば、接触部２５において大きな接触力を得ることができる。【選択図】図４
2009037899.tif 000002
【特許請求の範囲】
【請求項１】
ハウジングと、
前記ハウジングに係止されるターミナルと、
前記ハウジングに回動可能に取り付けられる軸と、前記軸をはさんで力点部と接触部とを有し、第１の位置において前記接触部が前記ターミナルに触れず、第２の位置において前記接触部が前記ターミナルを押さえるレバーとを有することを特徴とするコネクタ。
【請求項２】
前記レバーは、前記軸と前記接触部との距離が、前記軸と前記力点部との距離より短いことを特徴とする請求項１に記載のコネクタ。
【請求項３】
前記ハウジングは、嵌合溝を有し、
前記レバーは、嵌合突起を有し、前記第２の位置において前記嵌合溝に嵌合することを特徴とする請求項１に記載のコネクタ。
【発明の詳細な説明】
【技術分野】
【０００１】
本発明は、コネクタに関する。
【背景技術】
【０００２】
従来の技術として、ハウジング内へのジョイントターミナルの挿入抵抗を低減するコネクタが知られている（例えば、特許文献１）。
【０００３】
この特許文献１のコネクタは、ハウジングと、ハウジングに挿入される複数のメス型ターミナルと、メス型ターミナルをハウジングに係止するランスを有する可動式のリテーナとを有し、メス型ターミナルと対向してオス型のジョイントターミナルがハウジングに挿入される。メス型ターミナルは、コンタクトがバネ状になっており、リテーナが仮係止位置にあるときは、ランスがメス型ターミナルに触れないため、ジョイントターミナルを挿入する際、メス型ターミナルとジョイントターミナルのコンタクトの擦り合う力が弱く、リテーナが係止位置にあるときは、ランスがメス型ターミナルを押すように触れるため、メス型ターミナルとジョイントターミナルのコンタクトの擦り合う力が強くなる。このことより、ジョイントターミナルの挿入抵抗を低減でき、挿入完了後は接触力を大にできる。
【特許文献１】特開２００７−１７９０３２号公報
【発明の開示】
【発明が解決しようとする課題】
【０００４】
しかし、従来のコネクタによると、リテーナを係止位置に保持するために、リテーナに設けられた突起をハウジングに設けられた係止用突起に嵌合するが、係止位置におけるコンタクトの接触力を大にするに従い、リテーナの突起を係止用突起に嵌めるために必要な力も大きくなるという問題がある。
【０００５】
従って、本発明の目的は、容易にコンタクトの接触力を大にすることができるコネクタを提供することにある。
【課題を解決するための手段】
【０００６】
本発明は上記目的を達成するため、ハウジングと、前記ハウジングに係止されるターミナルと、前記ハウジングに回動可能に取り付けられる軸と、前記軸をはさんで力点部と接触部とを有し、第１の位置において前記接触部が前記ターミナルに触れず、第２の位置において前記接触部が前記ターミナルを押さえるレバーとを有することを特徴とするコネクタを提供する。
【０００７】
このような構成によれば、レバーがハウジングに回動可能に取り付けられるため、レバーの接触部によってターミナルを押さえる際、梃子の原理でレバーの力点部を動かすことにより、小さな力で大きな接触力を得ることができる。
【発明の効果】
【０００８】
本発明によれば、容易にコンタクトの接触力を大にすることができる。
【発明を実施するための最良の形態】
【０００９】
以下に、本発明のコネクタの実施の形態を図面を参考にして詳細に説明する。
【００１０】
〔実施の形態〕
（構成）
図１の（ａ）〜（ｃ）は、本発明の実施の形態に関するコネクタの構成を表す概略図である。図１（ａ）は、平面図、図１（ｂ）は、側面図、図１（ｃ）は、Ａ−Ａ断面を示す断面図である。
【００１１】
コネクタ１は、オスコネクタ２と、メスコネクタ３とからなり、オスコネクタ２にメスコネクタ３を挿入することで互いに嵌合する。図１（ａ）〜（ｃ）に示すコネクタ１は、オスコネクタ２にメスコネクタ３が挿入されているが、オスコネクタ２とメスコネクタ３とが完全に嵌合していない状態である。
【００１２】
オスターミナル２０は、７本が１列に並んで配置され、メスターミナル３０は、オスターミナル２０に対応して配置される。
【００１３】
レバー２１は、レバー軸２２ａを中心に回動するよう取り付けられる。オスコネクタ２にメスコネクタ３を挿入完了後、レバー２１の力点部２３を押すことで接触部２５がメスターミナル３０を押しつけて、メスターミナル３０とオスターミナル２０とを接触する。
【００１４】
なお、オスターミナル２０、およびメスターミナル３０は、７本に限らず任意の極数を配置してよい。また、レバー２１の力点部２３でメスターミナル３０を押しつけられる構造であれば、１列に限らず、複数の列を配置してもよい。
【００１５】
図２（ａ）〜（ｃ）は、本発明の実施の形態に関するオスコネクタの構成を表す概略図である。図２（ａ）は、平面図、図２（ｂ）は、側面図、図２（ｃ）は、Ａ−Ａ断面を示す断面図である。
【００１６】
オスコネクタ２は、ナイロンやＰＢＴ（PolyButylene Terephthalate）等の樹脂を用いたオスハウジング２６に、１列に並んだオスターミナル２０と、後述するメスターミナル３０を押さえるレバー２１と、後述する嵌合突起３２と嵌合する嵌合孔２７を有する。
【００１７】
レバー２１は、レバー軸２２ａを有し、オスハウジング２６に設けられたレバー軸受２２ｂに取り付けられ、レバー軸２２ａを中心に回動可能である。レバー２１は、力点部２３を押すことで回動し、接触部２５がメスターミナル３０を押さえる（第２の位置）。また、レバー２１は、先端に嵌合突起２４を有し、接触部２５がメスターミナル３０を押さえた位置において、オスハウジング２６の外側に設けられた嵌合溝２８と嵌合することで固定される。
【００１８】
なお、接触部２５がメスターミナル３０を押さえる際に必要な力は、接触部２５とレバー軸２２ａとの距離と、力点部２３とレバー軸２２ａとの距離とを変化させることにより調整できる。
【００１９】
図３（ａ）〜（ｄ）は、本発明の実施の形態に関するコネクタの嵌合動作を表す概略図である。図３（ａ）は、平面図、図３（ｂ）は、側面図、図３（ｃ）は、正面図、図３（ｄ）は、Ａ−Ａ断面を示す断面図である。
【００２０】
メスコネクタ３は、オスコネクタ２と同様にナイロンやＰＢＴ等の樹脂を用いたメスハウジング３１に、１列に並んだオスターミナル２０と同数のメスターミナル３０を有する。
【００２１】
また、メスコネクタ３は、オスコネクタ２の嵌合孔２７と嵌合する嵌合突起３２を有し、嵌合突起３２は、メスハウジング３１に切り欠き３４を設けることで形成され、嵌合突起３２の端部には、嵌合を解除するための解除レバー３３を有する。
【００２２】
メスターミナル３０は、オスターミナル２０と接触する際に、接触面積を確保するために、図３（ｃ）に示すように、オスターミナル２０の形状に合わせて円弧状の内壁を有し、オスターミナル２０を両側から挟むように形成される。なお、本実施の形態においては、オスターミナル２０が円柱状で、メスターミナル３０が円弧状の内壁を有するが、オスターミナル２０は、例えば四角柱や三角柱等の任意の形状を有することができ、メスターミナル３０は、オスターミナル２０の形状に合わせた内壁形状を有するものとする。
【００２３】
（動作）
以下に、本発明の実施の形態におけるコネクタの嵌合動作を各図を参照しつつ説明する。
【００２４】
図４（ａ）〜（ｃ）は、本発明の実施の形態に係るコネクタの嵌合動作を示す断面図である。
【００２５】
まず、オスコネクタ２にメスコネクタ３を挿入することで、図４（ａ）に示すような状態となる。この状態においては、オスコネクタ２の嵌合孔２７と、メスコネクタ３嵌合突起３２とが嵌合していない状態である。
【００２６】
次に、図４（ａ）の状態からさらにオスコネクタ２にメスコネクタ３を挿入することで、オスコネクタ２の嵌合孔２７に、メスコネクタ３の嵌合突起３２が嵌合し、図４（ｂ）に示すような状態となる。ただし、レバー２１の嵌合突起２４は、嵌合溝２８に嵌合していない（第１の位置）。
【００２７】
次に、レバー２１の力点部２３を、図４（ｂ）に示すＢ方向に押し込むことで、図４（ｃ）に示すように、レバー２１の嵌合突起２４が嵌合溝２８に嵌合し、接触部２５がメスターミナル３０の外壁に接触する。この状態で、メスターミナル３０の内壁がオスターミナル２０に押さえつけられて固定される（第２の位置）。
【００２８】
（実施の形態の効果）
上記した実施の形態によると、レバー２１のレバー軸２２ａがオスハウジング２６のレバー軸受２２ｂに回動可能に取り付けられるため、レバー２１の接触部２５によってメスターミナル３０を押さえて、メスターミナル３０とオスターミナル２０とを接触する際、梃子の原理でレバー２１の力点部２３を動かすことにより、小さな力で大きな接触力を得ることができる。特に、ターミナル数が多いコネクタにおいては、コネクタ挿入力が小さく、かつ、コネクタ装着時に確実に電気的に接続させることが可能なコネクタを実現できる。
【００２９】
なお、レバー２１をメスコネクタ３に設けてもよい。また、メスコネクタ３にレバー２１に設けてジョイントコネクタとすることもできる。
【００３０】
本実施の形態においては、レバーを二つ用意してターミナルの両側から挟む形式としたが、レバーを一つにして片側をランスとしてもよい。
【００３１】
レバー２１は、外力によって嵌合する他、メスコネクタ３の挿入に連動して嵌合する構造としてもよい。
【図面の簡単な説明】
【００３２】
【図１】（ａ）〜（ｃ）は、本発明の実施の形態に関するコネクタの構成を表す概略図である。
【図２】（ａ）〜（ｃ）は、本発明の実施の形態に関するオスコネクタの構成を表す概略図である。
【図３】（ａ）〜（ｄ）は、本発明の実施の形態に関するメスコネクタの構成を表す概略図である。
【図４】（ａ）〜（ｃ）は、本発明の実施の形態に関するコネクタの嵌合動作を表す概略図である。
【符号の説明】
【００３３】
１…コネクタ、２…オスコネクタ、３…メスコネクタ、２０…オスターミナル、２１…レバー、２２ａ…レバー軸、２２ｂ…レバー軸受、２３…力点部、２４…嵌合突起、２５…接触部、２６…オスハウジング、２７…嵌合孔、２８…嵌合溝、３０…メスターミナル、３１…メスハウジング、３２…嵌合突起、３３…解除レバー
【図１】
2009037899.tif 000003
【図２】
2009037899.tif 000004
【図３】
2009037899.tif 000005
【図４】
2009037899.tif 000006